(57)【要約】【課題】収納奥行方向両側の収納空間を利用可能としながらも、使い勝手を向上し得る収納装置を提供する。【解決手段】収納装置１は、映像表示機器２を収納する収納奥行方向一方向に開口する第１収納空間５と収納奥行方向他方向に開口する第２収納空間６とを収納奥行方向に区画するように配される背板部３２と、前記第１収納空間に連通するように該第２収納空間の下方側に形成される第３収納空間７と前記第２収納空間とを上下に区画するように配される横板部３１と、を備えた仕切板部材３０を、収納本体１０に対して着脱自在としている。【選択図】図１
2017051470.tif 000002
【特許請求の範囲】
【請求項１】
映像表示機器を収納する収納奥行方向一方向に開口する第１収納空間と収納奥行方向他方向に開口する第２収納空間とを収納奥行方向に区画するように配される背板部と、前記第１収納空間に連通するように該第２収納空間の下方側に形成される第３収納空間と前記第２収納空間とを上下に区画するように配される横板部と、を備えた仕切板部材を、収納本体に対して着脱自在としたことを特徴とする収納装置。
【請求項２】
請求項１において、
前記第１収納空間及び前記第３収納空間とこれらの下方側空間とを区画するように配され、かつ配線挿通部が設けられた下段横板を備えていることを特徴とする収納装置。
【請求項３】
請求項２において、
前記下方側空間を前記一方向に開口する第４収納空間と前記他方向に開口する第５収納空間とに収納奥行方向に区画するように配される下段背板を備えており、
前記配線挿通部は、前記第４収納空間及び前記第５収納空間に連通するように設けられていることを特徴とする収納装置。
【請求項４】
請求項１乃至３のいずれか１項において、
前記第１収納空間の開口を覆うように配され、少なくとも前記映像表示機器の映像表示面に応じた部位が透明なカバー部材を備えていることを特徴とする収納装置。
【請求項５】
請求項４において、
前記第１収納空間の間口方向両側を区画する両側板に、通気口を設けたことを特徴とする収納装置。
【発明の詳細な説明】
【技術分野】
【０００１】
本発明は、映像表示機器を収納する収納装置に関する。
【背景技術】
【０００２】
従来より、テレビジョン受像機等の映像表示機器を収納する収納装置が知られている。このような収納装置は、壁面に沿わせるように設置されるものが一般的であった。
例えば、下記特許文献１には、薄型大画面テレビを収納するリビング側の正面収納部とダイニング側の背面収納部とを仕切板によって仕切った構成とした間仕切収納家具が開示されている。
【先行技術文献】
【特許文献】
【０００３】
【特許文献１】特開２００８−２２８９３０号公報
【発明の概要】
【発明が解決しようとする課題】
【０００４】
しかしながら、上記特許文献１に記載された間仕切収納家具では、正面収納部側から薄型大画面テレビに配線したり、薄型大画面テレビの背面側を清掃したりする必要があり、更なる改善が望まれる。
【０００５】
本発明は、上記実情に鑑みてなされたものであり、収納奥行方向両側の収納空間を利用可能としながらも、使い勝手を向上し得る収納装置を提供することを目的としている。
【課題を解決するための手段】
【０００６】
上記目的を達成するために、本発明に係る収納装置は、映像表示機器を収納する収納奥行方向一方向に開口する第１収納空間と収納奥行方向他方向に開口する第２収納空間とを収納奥行方向に区画するように配される背板部と、前記第１収納空間に連通するように該第２収納空間の下方側に形成される第３収納空間と前記第２収納空間とを上下に区画するように配される横板部と、を備えた仕切板部材を、収納本体に対して着脱自在としたことを特徴とする。
【発明の効果】
【０００７】
本発明に係る収納装置は、上述のような構成としたことで、収納奥行方向両側の収納空間を利用可能としながらも、使い勝手を向上させることができる。
【図面の簡単な説明】
【０００８】
【図１】本発明の一実施形態に係る収納装置の一例を模式的に示し、図２（ａ）におけるＸ−Ｘ線矢視に対応させた概略縦断面図である。
【図２】（ａ）は、同収納装置の概略正面図、（ｂ）は、同収納装置の概略背面図である。
【図３】（ａ）は、同収納装置の概略斜視図、（ｂ）は、同収納装置の概略正面図である。
【図４】（ａ）は、同収納装置の概略斜視図、（ｂ）は、同収納装置の概略分解斜視図である。
【図５】図１に対応させた一部破断概略分解縦断面図である。
【図６】（ａ）は、本発明の他の実施形態に係る収納装置の一例を模式的に示し、図２（ｂ）に対応させた概略背面図、（ｂ）は、図１に対応させた一部破断概略縦断面図である。
【発明を実施するための形態】
【０００９】
以下に本発明の実施の形態について、図面に基づいて説明する。
なお、以下の各実施形態では、収納装置を設置した状態を基準として、上下方向等の方向を説明する。
【００１０】
図１〜図５は、第１実施形態に係る収納装置の一例を模式的に示す図である。
本実施形態に係る収納装置１は、図１に示すように、映像表示機器２を収納する収納奥行方向一方向に開口する第１収納空間５と収納奥行方向他方向に開口する第２収納空間６とを収納奥行方向に区画するように配される背板部３２を備えている。また、収納装置１は、第１収納空間５に連通するように第２収納空間６の下方側に形成される第３収納空間７と第２収納空間６とを上下に区画するように配される横板部３１を備えている。また、収納装置１は、図４及び図５に示すように、これら背板部３２と横板部３１とを備えた仕切板部材３０を、収納本体１０に対して着脱自在としている。
【００１１】
この収納装置１は、住居等の建物内に、収納奥行方向両側から使用可能なように設置されるものとしてもよい。例えば、この収納装置１を、リビングとダイニングとを区画するように設置するようにしてもよい。
この収納装置１の上下寸法（高さ寸法）や、間口方向に沿う寸法（幅寸法）、奥行寸法は、設置箇所や、映像表示機器２を含む被収納物、用途等に応じて適宜の寸法とされたものとしてもよい。
また、図例では、収納装置１の収納本体１０を、箱状とした例を示しているが、このような態様に代えて、上下寸法が、床から天井までの上下寸法に応じた寸法とされ、建物内の空間を区画するように設けられる間仕切収納を構成するものとしてもよい。つまり、収納装置１を、建物内空間を間仕切る間仕切壁を構成するように設置するようにしてもよい。
【００１２】
映像表示機器２は、一般的なテレビジョン受像機や映像再生機器等としてもよく、その他、各種情報機器のディスプレイ（モニター）等としてもよい。また、映像表示機器２としては、液晶ディスプレイやプラズマディスプレイ、有機ＥＬディスプレイ等の薄型パネル状のディスプレイとしてもよい。このような映像表示機器２としては、画面サイズや外周寸法（縦寸法及び横寸法）が数種類に規格化されたものとしてもよい。
また、本実施形態では、映像表示機器２を保持する保持部材２０を第１収納空間５に設けた構成とし、映像表示機器２の背面側には、この保持部材２０の固定部が設けられている。
【００１３】
収納本体１０は、図１〜図４に示すように、天板１１、両側板１２，１２及び底板１５を備え、これらによって収納奥行方向両側に開口する箱状とされている。
また、本実施形態では、収納本体１０に、第１収納空間５及び第３収納空間７とこれらの下方側空間８，９とを区画するように配される下段横板１７を設けた構成としている。また、収納本体１０に、この下方側空間８，９を一方向に開口する第４収納空間８と他方向に開口する第５収納空間９とに収納奥行方向に区画するように配される下段背板１８を設けた構成としている。
天板１１は、上下方向に厚さ方向を沿わせて配され、第１収納空間５及び第２収納空間６の上方側を区画する構成とされ、これら収納空間５，６の天面を構成する。
底板１５は、上下方向に厚さ方向を沿わせて配され、第４収納空間８及び第５収納空間９の下方側を区画する構成とされ、これら収納空間８，９の底面を構成する。図例では、底板１５を、上げ底状に両側板１２，１２の下端よりも少許、上方側に配した例を示している。なお、底板１５の下方側の収納奥行方向両側の開口を閉鎖する覆い板を設けた構成としてもよく、また、底板１５を両側板１２，１２の下端に位置するように配した態様としてもよい。
【００１４】
両側板１２，１２は、収納間口方向に厚さ方向を沿わせて配され、各収納空間５，６，７，８，９の間口方向両側を区画する構成とされ、各収納空間５，６，７，８，９の両内側面を構成する。これら両側板１２，１２間の収納間口寸法、つまり、各収納空間５，６，７，８，９の収納間口寸法は、映像表示機器２の収納間口方向に沿う寸法に応じて適宜の寸法としてもよい。
本実施形態では、これら両側板１２，１２に、通気口１３，１４を設けた構成としている。また、これら両側板１２，１２に、第１収納空間５に連通する上側通気口１３，１３と、第４収納空間８に連通する下側通気口１４，１４と、をそれぞれに設けた構成としている。
【００１５】
上側通気口１３，１３は、第１収納空間５における上端部の領域に連通するように設けられている。また、上側通気口１３，１３は、第１収納空間５に収納された映像表示機器２の背面側において開口するように設けられている。なお、これら上側通気口１３，１３同士を、両側板１２，１２の厚さ方向に見て、互いに重なり合う位置となるように設けるようにしてもよい。
下側通気口１４，１４は、第４収納空間８における下端部の領域に連通するように設けられている。なお、これら下側通気口１４，１４同士を、両側板１２，１２の厚さ方向に見て、互いに重なり合う位置となるように設けるようにしてもよい。また、図例では、下側通気口１４を、上側通気口１３の直下に位置するように設けた例を示しているが、収納奥行方向で異なる位置となるように設けた構成としてもよい。また、これら上下の通気口１３，１３，１４，１４に、適宜、ガラリやルーバー、フィルター等を設けるようにしてもよい。
【００１６】
また、これら両側板１２，１２には、仕切板部材３０を着脱自在に保持する保持部１２ａ，１２ａが設けられている。本実施形態では、図２（ｂ）、図４（ｂ）及び図５に示すように、これら両側板１２，１２に、仕切板部材３０の横板部３１の収納間口方向両端部を受け入れる保持溝１２ａ，１２ａを保持部として設けた構成としている。
これら保持溝１２ａ，１２ａは、互いに向き合う方向及び収納奥行方向他方側に向けて開口するように設けられている。これら保持溝１２ａ，１２ａの溝深さ寸法（側板１２，１２の厚さ方向に沿う寸法）は、横板部３１を安定的に保持する観点や、両側板１２，１２の厚さ寸法等に応じて、適宜の寸法としてもよい。また、両側板１２，１２の収納奥行方向他方側端面からの保持溝１２ａ，１２ａの収納奥行方向に沿う長さ寸法は、横板部３１の収納奥行方向に沿う寸法に応じた寸法とされている。
【００１７】
また、これら両側板１２，１２に、仕切板部材３０の背板部３２が当接される当接部２８，２８を設けた構成としている。図例では、これら当接部２８，２８を、各側板１２，１２の互いに向き合う面（内側面）に固定される固定片部の収納奥行方向他方側端部から互いに向き合う方向に突出するように設けられた当接片部としている。また、図例では、これら当接部２８，２８を、第２収納空間６の上下方向中央部位に位置するように上下寸法が比較的に小とされたものとしているが、上下に長尺状とされたものとしてもよい。また、当接部２８，２８及び背板部３２の対応する部位に、マグネットキャッチ等、適宜、背板部３２を保持する保持部としてのキャッチ機構を設けた構成としてもよい。なお、当接部２８，２８を、両側板１２，１２に設けた態様に代えて、または加えて、天板１１に設けた態様としてもよい。
【００１８】
仕切板部材３０は、横板部３１の収納奥行方向一方側端部から上方側に向けて立ち上げるように背板部３２を設けた構成とされている。つまり、この仕切板部材３０は、収納間口方向に見て、略Ｌ字状とされている。これら横板部３１と背板部３２とを備えた仕切板部材３０は、図４（ｂ）及び図５に示すように、収納奥行方向に沿ってスライドさせることで収納本体１０に対して着脱自在とされている。
また、本実施形態では、仕切板部材３０の横板部３１と背板部３２とを、別体とされたものとしている。
横板部３１は、上下方向に厚さ方向を沿わせて配され、第２収納空間６の下方側及び第３収納空間７の上方側を区画する構成とされ、第２収納空間６の底面及び第３収納空間７の天面を構成する。この横板部３１の収納間口方向に沿う寸法は、図２（ｂ）に示すように、両側板１２，１２の保持溝１２ａ，１２ａに収納間口方向両端部の挿入が可能なように適宜の寸法とされている。
【００１９】
また、図１に示すように、この横板部３１の収納奥行方向一方側端部に、上方側に向けて開口し、収納間口方向に延び、背板部３２の下端部を受け入れる係合凹溝３１ａを設けた構成としている。この係合凹溝３１ａは、横板部３１の収納間口方向の全体に亘って設けられたものとしてもよく、背板部３２の収納間口方向に沿う寸法に応じて設けられたものとしてもよい。
背板部３２は、収納奥行方向に厚さ方向を沿わせて配され、第１収納空間５の上方側領域及び第２収納空間６の収納奥側を区画する構成とされ、第１収納空間５の上方側領域及び第２収納空間６の奥側面を構成する。この背板部３２の収納間口方向に沿う寸法は、両側板１２，１２間の収納間口寸法に応じた寸法とされている。また、この背板部３２の上下寸法は、両側板１２，１２に保持された横板部３１の係合凹溝３１ａに下端部が挿入された状態で、上端面が天板１１の下面に近接または当接するように適宜の寸法とされている。なお、背板部３２と横板部３１とは、釘等の止具や接着剤等によって接合されたものとしてもよく、分離可能とされたものとしてもよい。
【００２０】
また、背板部３２の収納奥行方向における配設位置は、この背板部３２によって収納奥行方向に区画される第１収納空間５及び第２収納空間６が所定の奥行寸法となるように適宜の位置としてもよい。また、横板部３１の上下方向の配設位置も同様、横板部３１によって上下に区画される第２収納空間６及び第３収納空間７が所定の上下寸法となるように適宜の位置としてもよい。また、横板部３１の奥行方向に沿う寸法は、第２収納空間６の奥行寸法に応じた寸法とされている。
【００２１】
本実施形態では、第１収納空間５の奥行寸法を、第２収納空間６の奥行寸法よりも小としている。この第１収納空間５の奥行寸法は、映像表示機器５の収納性や、配線性、放熱性等の観点から適宜の寸法としてもよい。また、第１収納空間５の上下寸法は、映像表示機器２の上下寸法に応じて適宜の寸法としてもよい。本実施形態では、図３（ｂ）に示すように、第１収納空間５の上下寸法及び収納間口寸法を、映像表示機器２の四周と第１収納空間５の内周面との間に全周に亘って隙間が形成されるように、映像表示機器２の上下寸法及び収納間口方向に沿う寸法に応じた寸法としている。
また、第２収納空間６の上下寸法を、第３収納空間７の上下寸法よりも大としている。この第２収納空間６の上下寸法及び奥行寸法は、設置箇所や用途、想定される被収納物等に応じて、適宜の寸法としてもよい。この第２収納空間６の下方側の第３収納空間７の上下寸法は、各種電源コードや通信線（ＬＡＮケーブルや光ファイバー、電話回線、テレビ回線等）等の配線の引き回しが可能なように適宜の寸法としてもよい。本実施形態では、第３収納空間７を、第１収納空間５の下方側領域から収納奥行方向他方側に向けて一連状に設けた構成としている。
【００２２】
また、本実施形態では、第３収納空間７の収納奥行方向他方側を覆うように閉鎖する覆い板１６を設けた構成としている。この覆い板１６は、両側板１２，１２に架け渡されるように設けられ、下段横板１７の収納奥行方向他方側端部から立ち上がるように設けられている。また、この覆い板１６は、その上端面が仕切板部材３０の横板部３１の下面に当接または近接するように設けられている。なお、このように覆い板１６をインセット状に設けた態様に代えて、アウトセット状に設けた態様としてもよい。
また、第２収納空間６を上下に区画するように、適宜、棚板を設けるようにしてもよい。この場合は、棚板を、両側板１２，１２に対して着脱自在に設けるようにしてもよく、背板部３２に固定的に設けるようにしてもよい。
また、第３収納空間７を第１収納空間５の下方側領域に一連状に設けた態様に代えて、第１収納空間５の下方側領域と第３収納空間７とを収納奥行方向に区画し、かつこれらを連通させる配線挿通部が設けられた仕切板を設けた態様としてもよい。
【００２３】
下段横板１７は、上下方向に厚さ方向を沿わせて配され、第１収納空間５及び第３収納空間７の下方側を区画する構成とされ、これら収納空間５，７の底面を構成する。また、下段横板１７は、第４収納空間８及び第５収納空間９の上方側を区画する構成とされ、これら収納空間８，９の天面を構成する。この下段横板１７は、天板１１及び底板１５と同様、両側板１２，１２に架け渡されるように設けられ、収納奥行方向に沿う寸法が両側板１２，１２の収納奥行方向に沿う寸法と略同寸法とされている。
また、この下段横板１７には、図１及び図４（ｂ）に示すように、配線挿通部１７ａが設けられている。本実施形態では、配線挿通部１７ａを、第４収納空間８及び第５収納空間９に連通するように設けた構成としている。
【００２４】
また、本実施形態では、配線挿通部１７ａを、下段横板１７を厚さ方向に貫通する丸孔状の配線挿通孔１７ａとし、第４収納空間８側及び第５収納空間９側のそれぞれにおいて開口するように複数箇所に設けた構成としている。また、下段横板１７を、多数の配線挿通孔１７ａが設けられた多孔板状としている。これら配線挿通孔１７ａを設ける位置や個数、これらの内径は、配線の外径に応じて、また、下段横板１７の強度を確保する観点や通気性の観点等から適宜の位置や個数、内径としてもよい。
なお、配線挿通部１７ａとしては、このような態様に限られず、下段横板１７の周端部に切欠状に設けられたものとしてもよい。また、第４収納空間８及び第５収納空間９のそれぞれに個別に連通する配線挿通部１７ａを設けた態様に限られず、第４収納空間８及び第５収納空間９に連通する単一の配線挿通部１７ａを設けた構成としてもよい。例えば、配線挿通部１７ａを、第４収納空間８と第５収納空間９とに跨るように設けられたものとしてもよい。
【００２５】
下段背板１８は、収納奥行方向に厚さ方向を沿わせて配され、第４収納空間８及び第５収納空間９の収納奥側を区画する構成とされ、これら収納空間８，９の奥側面を構成する。
この下段背板１８は、両側板１２，１２に架け渡されるように設けられ、上下端面が下段横板１７及び底板１５に当接または近接するように設けられている。
また、この下段背板１８の収納奥行方向における配設位置は、この下段背板１８によって収納奥行方向に区画される第４収納空間８及び第５収納空間９が所定の奥行寸法となるように適宜の位置としてもよい。また、上記した下段横板１７の上下方向の配設位置も同様、下段横板１７によって上方側が区画される第４収納空間８及び第５収納空間９が所定の上下寸法となるように適宜の位置としてもよい。
【００２６】
これら第４収納空間８及び第５収納空間９の奥行寸法及び上下寸法は、設置箇所や用途、想定される被収納物等に応じて、適宜の寸法としてもよい。本実施形態では、第４収納空間８の奥行寸法を、第５収納空間９の奥行寸法よりも大としている。また、第４収納空間８を、映像表示機器２に関連して設けられる再生・録画機器や、チューナー、オーディオ機器等の関連機器３を収納可能な構成としている。また、第５収納空間９を、各種電源コードや通信線等の配線が接続される電源タップ等の差込接続器４を収納可能な構成としている。この第５収納空間９に、ルーター等の情報機器を収納するようにしてもよく、また、差込接続器４を、建物の壁体内等を通じて配設された各種電源コードや通信線等の配線が接続され、これらに応じて各種コンセントやモジュラー、端子等の接続部が設けられたマルチメディア型のものとしてもよい。また、このような各種電源コードや通信線等の配線を個別にまたは集約した配線を収納本体１０外に引き出す配線挿通部を設けた構成としてもよい。図例では、一方の側板１２に、第５収納空間９に連通する配線挿通部を設けた例を示している（図２（ｂ）参照）。
【００２７】
また、図例では、映像表示機器２と関連機器３とを接続する配線を、下段横板１７の配線挿通孔１７ａを介して配設した例を示している。また、映像表示機器２と差込接続器４とを接続する配線を、第３収納空間７及び下段横板１７の配線挿通孔１７ａを介して配設した例を示している。また、関連機器３と差込接続器４とを接続する配線を、下段背板１８を迂回するように、下段横板１７の配線挿通孔１７ａを介して引き出し、第３収納空間７及び下段横板１７の配線挿通孔１７ａを介して配設した例を示している。なお、このような態様に代えて、下段背板１８に、第４収納空間８と第５収納空間９とを連通させる配線挿通部等を設けるようにしてもよい。また、各機器２，３，４の配線態様としては、その他、種々の変形が可能である。
【００２８】
また、本実施形態では、図１、図２（ｂ）及び図４に示すように、第５収納空間９の収納奥行方向他方側開口を開閉自在に覆う開閉扉１９を設けた構成としている。図例では、この開閉扉１９を、一端部が蝶番等の連結部材によって回転自在に連結されたものとしている。また、開閉扉１９の上端部を下段横板１７に連結部材によって連結した例を示している。なお、このような態様に代えて、開閉扉１９の収納間口方向に沿う方向の一側端部を、一方の側板１２に連結部材によって連結した態様等としてもよい。また、図例では、開閉扉１９を、インセット状に納められるものとした例を示しているが、アウトセット状に納められるものとしてもよい。また、開閉扉１９としては、このような回転自在に連結されたものに限られず、引戸状にスライド自在とされたものや、着脱自在とされたもの等としてもよく、その他、種々の変形が可能である。また、開閉扉１９を、上記した覆い板１６を兼用するものとしてもよい。つまり、第３収納空間７及び第５収納空間９の収納奥行方向他方側開口を開閉自在に覆う開閉扉１９としてもよい。また、開閉扉１９の適所に把持部等を設けた態様としてもよい。また、第２収納空間６の収納奥行方向他方側開口を開閉自在に覆う開閉扉を設けた態様としてもよい。この場合は、収納奥行方向他方側に開口するこれら各収納空間６，７，９の開口を開閉自在に覆う単一の開閉扉を設けた態様としてもよい。
【００２９】
また、本実施形態では、図１、図２（ａ）及び図３に示すように、第１収納空間５の開口を覆うように配され、少なくとも映像表示機器２の映像表示面２ａに応じた部位が透明なカバー部材２４を設けた構成としている。
このカバー部材２４は、第１収納空間５の開口（収納奥行方向一方側開口）に応じた寸法とされた略矩形平板状とされている。本実施形態では、このカバー部材２４を、その四周端部に四周枠状に不透明部２６が設けられ、その内側が映像表示機器２の映像表示面２ａに応じた透明部２５とされたものとている。このカバー部材２４の少なくとも透明部２５は、アクリル樹脂やポリカーボネート樹脂等の透明の合成樹脂系材料や、透明のガラス材料等の透明材料から形成されたものとしてもよい。また、このカバー部材２４は、このような透明材料の四周端部に、不透明なシートを貼着したり、着色やエッチング等の表面処理を施したりすることで、不透明部２６を設けた構成とされたものとしてもよい。また、不透明部２６を、鏡やハーフミラー等としてもよい。また、透明材料からなる透明部２５の四周に、額縁状に不透明材料から形成された不透明部２６を固定した構成とされたもの等としてもよい。なお、このような不透明部２６を設けないようにしてもよい。また、このカバー部材２４の少なくとも透明部２５の厚さ方向一方面（例えば、表面）または両面を、反射防止フィルム（シート）の貼着や反射防止コーティング等の反射防止処理が施されたものとしてもよい。
【００３０】
また、本実施形態では、カバー部材２４を、第１収納空間５の開口を開閉自在に覆う構成とされたものとしている。また、このカバー部材２４を、収納本体１０に対して回転自在に連結した構成としている。図例では、このカバー部材２４を、一端部が蝶番等の連結部材によって回転自在に連結されたものとしている。また、カバー部材２４の収納間口方向に沿う方向の一側端部を、一方の側板１２に連結部材によって回転自在に連結した態様としている。なお、図例では、カバー部材２４を、アウトセット状に納められるものとした例を示しているが、インセット状に納められるものとしてもよい。また、カバー部材２４の他側端部に、適宜のラッチ等を設け、他方の側板１２に、ラッチを係止するラッチ受部を設けるようにしてもよい。この場合は、プッシュオープン式のラッチとしてもよく、また、カバー部材２４の適所に把持部を設けた構成としてもよい。また、カバー部材２４と収納本体１０との間に第１収納空間５の開口周縁部の概ね全周に亘ってシール部材（パッキン）を設けた構成としてもよい。また、カバー部材２４を回転自在に連結した態様に限られず、収納本体１０側に設けられた適宜の保持部に対して着脱自在に保持されるものとしてもよい。この場合は、カバー部材２４を、第１収納空間５の開口方向（収納奥行方向）と概ね同方向に沿って着脱自在に保持されるものとしてもよい。
【００３１】
また、本実施形態では、第４収納空間８の開口を開閉自在に覆う下段扉２７を設けた構成としている。図例では、この下段扉２７を、一端部が蝶番等の連結部材によって回転自在に連結されたものとしている。また、下段扉２７の収納間口方向に沿う方向の一側端部を、一方の側板１２に連結部材によって連結した例を示している。なお、このような態様に代えて、下段扉２７の上端部を、下段横板１７に連結部材によって連結した態様等としてもよい。また、図例では、下段扉２７を、アウトセット状に納められるものとした例を示しているが、インセット状に納められるものとしてもよい。また、下段扉２７としては、このような回転自在に連結されたものに限られず、引戸状にスライド自在とされたものや、着脱自在とされたもの等としてもよく、その他、種々の変形が可能である。さらには、上記したカバー部材２４を、下段扉を兼用するものとしてもよい。つまり、カバー部材２４を、収納奥行方向一方側に開口するこれら各収納空間５，８の開口を開閉自在に覆うものとしてもよい。
【００３２】
映像表示機器２を保持する保持部材２０は、図１及び図３（ｂ）に示すように、映像表示機器２の背面側に取り付けられる柱状体２１と、この柱状体２１の上下両端部を保持する上下の保持部２２，２３と、を備えている。つまり、上下方向に架け渡される柱状体２１を介して映像表示機器２を保持する構成としている。図例では、映像表示機器２の背面側に、収納間口方向に間隔を空けて複数本（図例では、２本）の柱状体２１，２１を取り付け、これら柱状体２１，２１の上下両端部をそれぞれに保持する上下の保持部２２，２３，２２，２３を設けた例を示している。なお、保持部材２０を、収納本体１０に対する映像表示機器２の上下方向、収納間口方向及び奥行方向のうちの少なくとも一方向への位置調整を可能とした構成としてもよい。また、映像表示機器２を保持する保持部材２０としては、このような態様に限られず、その他、種々の変形が可能である。さらには、このような保持部材２０によって映像表示機器２を保持する態様に限られず、例えば、映像表示機器２を下段横板１７に載置する態様としてもよい。
【００３３】
本実施形態に係る収納装置１は、上述のような構成としたことで、収納奥行方向両側の収納空間５，６を利用可能としながらも、使い勝手を向上させることができる。
つまり、映像表示機器２を収納する収納奥行方向一方向に開口する第１収納空間５と収納奥行方向他方向に開口する第２収納空間６とを収納奥行方向に区画するように配される背板部３２を設けた構成としている。従って、収納奥行方向両側のうち一方向に開口する第１収納空間５を映像表示機器２の収納空間として利用し、他方向に開口する第２収納空間６を他の物品等を収納する空間として利用することができる。また、背板部３２によって映像表示機器２の背面側を、第２収納空間６側からは目立ち難くすることができる。
また、第１収納空間５に連通するように第２収納空間６の下方側に形成される第３収納空間７と第２収納空間６とを上下に区画するように配される横板部３１を設けた構成としている。従って、第３収納空間７を、上述のように、配線の引き回し空間として利用したり、配線を収納する空間として利用したり、また、これらが接続される差込接続器や情報機器などを収納する空間として利用することができる。
【００３４】
また、これら背板部３２及び横板部３１を備えた仕切板部材３０を、収納本体１０に対して着脱自在としている。従って、仕切板部材３０を取り外せば、第１収納空間５に収納された映像表示機器２の背面側、つまり、第２収納空間６側から配線作業を行うことができ、作業性を向上させることができる。また、第２収納空間６の下方側に形成される配線等の引き回し空間や収納空間となる第３収納空間７の上方側を大きく開放させることができるので、第１収納空間５側からは奥まった空間となるこの第３収納空間７の清掃性を向上させることができる。
【００３５】
また、本実施形態では、第１収納空間５及び第３収納空間７とこれらの下方側空間８，９とを区画するように配され、かつ配線挿通部（配線通気孔）１７ａが設けられた下段横板１７を設けた構成としている。従って、下方側空間８，９に、映像表示機器２に関連して設けられる関連機器３を収納したり、これらの配線や差込接続器４などを収納したりすることができる。また、映像表示機器２の配線やこれに接続される配線を、配線挿通孔１７ａを介して配線することができる。
また、配線挿通部１７ａを、放熱のための通気孔として機能させることもできる。
【００３６】
また、本実施形態では、下方側空間８，９を一方向に開口する第４収納空間８と他方向に開口する第５収納空間９とに収納奥行方向に区画するように配される下段背板１８を設けた構成としている。また、配線挿通孔１７ａを、第４収納空間８及び第５収納空間９に連通するように設けている。従って、第４収納空間８に、映像表示機器２に関連して設けられる関連機器３を収納し、第５収納空間９に、これらの配線や差込接続器４などを収納したりすることができる。また、映像表示機器２と関連機器３とを接続する配線、並びに映像表示機器２及び関連機器３からの配線を、第３収納空間７や配線挿通孔１７ａを介して第５収納空間９に引き回して配線することができる。これにより、収納奥行方向一方向側となる第１収納空間５側及び第４収納空間８側において余長の配線等を目立ち難くすることができる。
【００３７】
また、本実施形態では、第１収納空間５の開口を覆うように配され、少なくとも映像表示機器２の映像表示面２ａに応じた部位が透明なカバー部材２４を設けた構成としている。従って、映像表示機器２の表面側を見栄え良く納めることができる。
また、本実施形態では、第１収納空間５の間口方向両側を区画する両側板１２，１２に、通気口（上側通気口）１３，１３を設けた構成としている。従って、映像表示機器２の表面側を見栄え良く納めることが可能でありながらも上側通気口１３，１３を介して放熱することができ、第１収納空間５内の温度上昇を抑制することができる。
【００３８】
また、本実施形態では、両側板１２，１２の第４収納空間８に対応する部位にも下側通気口１４，１４を設け、下段横板１７に配線挿通部１７ａを設けた構成としている。従って、両側板１２，１２の少なくとも上下の二箇所に通気口１３，１３，１４，１４が設けられることとなる。これにより、映像表示機器２や関連機器３等から発生する熱による自然対流等によって下側通気口１４，１４から取り入れた空気を、配線挿通部１７ａを介して上側通気口１３，１３から排気することができ、各収納空間５，８内の温度上昇をより効果的に抑制することができる。なお、両側板１２，１２の第５収納空間９に対応する部位にも下側通気口を設けた構成としてもよい。
【００３９】
次に、本発明に係る他の実施形態について、図面を参照しながら説明する。
図６は、第２実施形態に係る収納装置の一例を模式的に示す図である。
なお、上記第１実施形態との相違点について主に説明し、同様の構成については、同一の符号を付し、その説明を省略または簡略に説明する。
【００４０】
本実施形態に係る収納装置１Ａは、仕切板部材３０Ａの構成及びこの仕切板部材３０Ａを保持する保持部２９，２９の構成が上記第１実施形態とは主に異なる。
本実施形態では、収納本体１０Ａの両側板１２Ａ，１２Ａに、凹溝１２ａ，１２ａに代えて、仕切板部材３０Ａの横板部３１Ａが載置される保持部２９，２９を両内側面から互いに向き合う方向に突出するように設けた構成としている。また、これら保持部２９，２９を、各側板１２Ａ，１２Ａの内側面に固定される固定片部の上端部から互いに向き合う方向に突出するように設けられた保持片部としている。また、図例では、これら保持部２９，２９の収納奥行方向に沿う寸法を比較的に小とし、各側板１２Ａ，１２Ａに、収納奥行方向に間隔を空けて複数（図例では、２つ）の保持部２９，２９，２９，２９を設けた例を示している。なお、このような態様に代えて、収納奥行方向に長尺な単一の保持部２９，２９を各側板１２Ａ，１２Ａに設けた態様としてもよい。
【００４１】
また、本実施形態では、仕切板部材３０Ａを、背板部３２Ａと横板部３１Ａとが一体的とされたものとしている。また、上記した保持部２９，２９に対応させて、横板部３１Ａの収納間口方向に沿う寸法を、両側板１２Ａ，１２Ａ間の収納間口寸法に応じた寸法としている。
上記構成とされた本実施形態に係る収納装置１Ａにおいても、上記した第１実施形態と概ね同様の効果を奏する。
なお、仕切板部材３０，３０Ａを、収納本体１０，１０Ａに対して着脱自在に保持する保持部１２ａ，１２ａ，２９，２９としては、上記のような態様に限られず、その他、種々の変形が可能である。
【００４２】
また、上記各実施形態では、第４収納空間８と第５収納空間９とを収納奥行方向に区画する下段背板１８を設けた例を示しているが、このような下段背板１８を設けずに、一連状の下方側空間８，９を設けた構成としてもよい。また、下方側空間８，９の下方側に、更に収納部を設けた態様としてもよい。
また、上記各実施形態では、第１収納空間５及び第３収納空間７とこれらの下方側空間８，９とを区画する下段横板１７を設けた例を示しているが、このような下段横板１７を設けないようにしてもよい。つまり、下方側空間８，９を設けないようにしてもよい。この場合は、第１収納空間５を、映像表示機器２に加え、関連機器３の収納が可能な空間として把握するようにしてもよく、または、関連機器３の収納が不能な構成とされたものとしてもよい。
【００４３】
また、上記各実施形態では、第１収納空間５の開口を覆うように配され、少なくとも映像表示機器２の映像表示面２ａに応じた部位が透明なカバー部材２４を設けた例を示しているが、このようなカバー部材２４を設けないようにしてもよい。また、両側板１２，１２，１２Ａ，１２Ａに、通気口１３，１３，１４，１４を設けないようにしてもよい。
また、上記各実施形態では、第１収納空間５及び第２収納空間６の上方側を天板１１によって区画した例を示しているが、このような態様に限られない。例えば、第１収納空間５及び第２収納空間６の上方側に、更に収納部を設け、第１収納空間５及び第２収納空間６の上方側を適宜の棚板や仕切板等によって区画するようにしてもよい。収納装置１，１Ａとしては、少なくとも第１収納空間５、第２収納空間６及び第３収納空間７並びに収納本体１０，１０Ａに対して着脱自在とされた仕切板部材３０，３０Ａを設けた構成とされたものであればよく、その他、種々の変形が可能である。
【符号の説明】
【００４４】
１，１Ａ      収納装置
１０，１０Ａ  収納本体
１２，１２Ａ  側板
１３          上側通気口（通気口）
１７          下段横板
１７ａ        配線挿通孔（配線挿通部）
１８          下段背板
２４          カバー部材
３０，３０Ａ  仕切板部材
３１，３１Ａ  横板部
３２，３２Ａ  背板部
２            映像表示機器
２ａ          映像表示面
５            第１収納空間
６            第２収納空間
７            第３収納空間
８            第４収納空間（下方側空間）
９            第５収納空間（下方側空間）
【図１】
2017051470.tif 000003
【図２】
2017051470.tif 000004
【図３】
2017051470.tif 000005
【図４】
2017051470.tif 000006
【図５】
2017051470.tif 000007
【図６】
2017051470.tif 000008